【事件の表示】
　特許第３３２９００８号「双方向信号伝送回路網及び双方向信号転送シフトレジスタ」の請求項１から６までに係る特許に対する特許異議の申立てについて、次のとおり決定する。
【結　論】
　訂正を認める。
　特許第３３２９００８号の請求項１から６までに係る特許を維持する。
【理　由】
第１　手続の経緯
　本件は、平成５年６月２５日に特許出願（特願平５−１８０７８７号）され、平成１４年７月１９日に特許権の設定登録がされ、同年９月３０日にその特許掲載公報が発行された特許第３３２９００８号（以下「本件特許」という。）につき、佐々木彩より平成１５年３月２８日にその請求項１から６までに係る特許に対して特許異議の申立てがされ、同月３１日に中川徹よりその請求項１から６までに係る特許に対して特許異議の申立てがされたものであり、当審において平成１６年２月９日付けで取消理由を通知（同月２０日発送）したところ、同年４月２０日に訂正請求書及び特許異議意見書が提出されたものである。
　
第２　訂正について
　１　訂正の内容
　本件特許の明細書を訂正請求書に添付した訂正明細書のとおりに以下のように訂正する。
　（１）訂正事項１
　特許請求の範囲を以下のように訂正する。
「【請求項１】比較的高インピーダンスの入力端子及び比較的低インピーダンスの出力端子を各々備え各々がフリップフロップからなる複数の信号伝送ブロックから構成され、入出力端子間を順次接続した多段構造を有し、
　互いに隣り合う前後信号伝送ブロックの前段側出力端子と後段側入力端子間の接続路に介在する順路ゲート素子及び後段側出力端子と前段側入力端子間の接続路に介在する逆路ゲート素子を備え、
　多段に接続した複数のフリップフロップのうち先頭のフリップフロップの入力端子には、最初の順路ゲート素子が接続されており、
　多段に接続した複数のフリップフロップのうち最後のフリップフロップの入力端子には、最終の逆路ゲート素子が接続されており、
　外部から入力されたスタート信号を該最初の順路ゲート素子と同時に該最終の逆路ゲート素子にも送るため、該最初の順路ゲート素子と該最終の逆路ゲート素子との間にバイパス路が接続されており、
　該順路ゲート素子を開く一方該逆路ゲート素子を閉じる事により、該入力されたスタート信号を該最終の逆路ゲート素子で遮断する一方該最初の順路ゲート素子を介して前段側から後段側へ送る順方向信号伝送処理と、該順路ゲート素子を閉じる一方該逆路ゲート素子を開く事により、該入力されたスタート信号を該最初の順路ゲート素子で遮断する一方該バイパス路から該最終の逆路ゲート素子を介して後段側から前段側へ送る逆方向信号伝送処理とを切り換え選択可能にする制御手段を備えた
　双方向信号伝送回路網。
　【請求項２】一対の入力端子及び出力端子を各々備えた複数のフリップフロップから構成され、入出力端子間を順次接続した多段構造を有し、
　互いに隣り合う前後フリップフロップの前段側出力端子と後段側入力端子間の接続路に介在する順路ゲート素子及び後段側出力端子と前段側入力端子間の接続路に介在する逆路ゲート素子とを含んでおり
　多段に接続した複数のフリップフロップのうち先頭のフリップフロップの入力端子には、最初の順路ゲート素子が接続されており、
　多段に接続した複数のフリップフロップのうち最後のフリップフロップの入力端子には、最終の逆路ゲート素子が接続されており、
　外部から入力されたスタート信号を該最初の順路ゲート素子と同時に該最終の逆路ゲート素子にも送るため、該最初の順路ゲート素子と該最終の逆路ゲート素子との間にバイパス路が接続されており、
　該順路ゲート素子を開く一方該逆路ゲート素子を閉じる事により、該入力されたスタート信号を該最終の逆路ゲート素子で遮断する一方該最初の順路ゲート素子を介して前段側から後段側へ送る順方向信号転送と、
　該順路ゲート素子を閉じる一方該逆路ゲート素子を開く事により、該入力されたスタート信号を該最初の順路ゲート素子で遮断する一方該バイパス路から該最終の逆路ゲート素子を介して後段側から前段側へ送る逆方向信号転送とを切り換え選択可能とする
　双方向信号転送シフトレジスタ。
　【請求項３】所定の間隙を介して対面配置された一対の基板と該間隙内に保持された液晶層とからなるフラットパネル構造を有し、
　一方の基板には行方向に沿って配列したゲート線と、列方向に沿って配列したデータ線と、該ゲート線及びデータ線の交点に位置する能動素子と、個々の能動素子により駆動される画素電極と、該ゲート線にゲート信号を線順次供給する垂直駆動回路と、該データ線にデータ信号を線順次供給する水平駆動回路とが形成されており、
　他方の基板には対向電極が形成されており個々の画素電極との間の電位差に応じて所望の画像を表示するアクティブマトリクス液晶表示装置において、
　前記垂直駆動回路及び水平駆動回路の少なくとも一方は信号の線順次供給順序を順逆双方向に切り換え制御可能な双方向シフトレジスタを含んでおり、選択的に画像の反転表示を行ない、
　前記双方向シフトレジスタは一対の入力端子及び出力端子を各々有する複数のフリップフロップから構成され、入出力端子間を順次接続した多段構造を有し、
　互いに隣り合う前後フリップフロップの前段側出力端子と後段側入力端子間の接続路に介在する順路ゲート素子及び後段側出力端子と前段側入力端子間の接続路に介在する逆路ゲート素子とを含んでおり、
　多段に接続した複数のフリップフロップのうち先頭のフリップフロップの入力端子には、最初の順路ゲート素子が接続されており、
　多段に接続した複数のフリップフロップのうち最後のフリップフロップの入力端子には、最終の逆路ゲート素子が接続されており、
　外部から入力されたスタート信号を該最初の順路ゲート素子と同時に該最終の逆路ゲート素子にも送るため、該最初の順路ゲート素子と該最終の逆路ゲート素子との間にバイパス路が接続されており、
　該順路ゲート素子を開く一方該逆路ゲート素子を閉じる事により、該入力されたスタート信号を該最終の逆路ゲート素子で遮断する一方該最初の順路ゲート素子を介して前段側から後段側へ送る順方向信号転送と、
　該順路ゲート素子を閉じる一方該逆路ゲート素子を開く事により、該入力されたスタート信号を該最初の順路ゲート素子で遮断する一方該バイパス路から該最終の逆路ゲート素子を介して後段側から前段側へ送る逆方向信号転送とを切り換え選択する事を特徴とするアクティブマトリクス液晶表示装置。
　【請求項４】垂直駆動回路が双方向シフトレジスタを含んでおり、選択的に画像の上下反転表示を可能とする事を特徴とする請求項３記載のアクティブマトリクス液晶表示装置。
　【請求項５】水平駆動回路が双方向シフトレジスタを含んでおり、選択的に画像の左右反転表示を可能とする事を特徴とする請求項３記載のアクティブマトリクス液晶表示装置。
　【請求項６】行走査線群と、列走査線群と、両走査線群の個々の交点に対応して配置された能動素子群と、少なくとも一方の走査線群に接続され順次駆動信号を供給する駆動回路とを含む二次元アドレス装置において、
　該駆動回路は駆動信号の供給順序を順逆双方向に切り換え可能な双方向信号伝送回路網からなり、
　入力端子及び出力端子を夫々備え各々がフリップフロップからなる複数の信号伝送ブロックから構成され、入出力端子間を順次接続した多段構造を有し、
　互いに隣り合う前後信号伝送ブロックの前段側出力端子と後段側入力端子間の接続路に介在する順路ゲート素子及び後段側出力端子と前段側入力端子間の接続路に介在する逆路ゲート素子とを含んでおり、
　多段に接続した複数のフリップフロップのうち先頭のフリップフロップの入力端子には、最初の順路ゲート素子が接続されており、
　多段に接続した複数のフリップフロップのうち最後のフリップフロップの入力端子には、最終の逆路ゲート素子が接続されており、
　外部から入力されたスタート信号を該最初の順路ゲート素子と同時に該最終の逆路ゲート素子にも送るため、該最初の順路ゲート素子と該最終の逆路ゲート素子との間にバイパス路が接続されており、
　該順路ゲート素子を開く一方該逆路ゲート素子を閉じる事により、該入力されたスタート信号を該最終の逆路ゲート素子で遮断する一方該最初の順路ゲート素子を介して前段側から後段側へ送る順方向信号伝送と、
　該順路ゲート素子を閉じる一方該逆路ゲート素子を開く事により、該入力されたスタート信号を該最初の順路ゲート素子で遮断する一方該バイパス路から該最終の逆路ゲート素子を介して後段側から前段側へ送る逆方向信号伝送とを切り換え選択可能とし、
　複数の信号伝送ブロックの各段出力端子を夫々対応する走査線に接続した事を特徴とする二次元アドレス装置。」
　（２）訂正事項２
　明細書の発明の詳細な説明の段落【０００７】から【００１０】までを以下のように訂正する。
「【０００７】【課題を解決するための手段】上述した従来の技術の課題を解決し本発明の目的を達成する為以下の手段を講じた。即ち、本発明にかかる双方向信号転送シフトレジスタは、一対の入力端子及び出力端子を各々備えた複数のフリップフロップから構成され、入出力端子間を順次接続した多段構造を有する。互いに隣り合う前後フリップフロップの前段側出力端子と後段側入力端子間の接続路に介在する順路ゲート素子及び後段側出力端子と前段側入力端子間の接続路に介在する逆路ゲート素子とを含んでいる。多段に接続した複数のフリップフロップのうち先頭のフリップフロップの入力端子には、最初の順路ゲート素子が接続されており、多段に接続した複数のフリップフロップのうち最後のフリップフロップの入力端子には、最終の逆路ゲート素子が接続されており、外部から入力されたスタート信号を該最初の順路ゲート素子と同時に該最終の逆路ゲート素子にも送るため、該最初の順路ゲート素子と該最終の逆路ゲート素子との間にバイパス路が接続されている。該順路ゲート素子を開く一方該逆路ゲート素子を閉じる事により、該入力されたスタート信号を該最終の逆路ゲート素子で遮断する一方該最初の順路ゲート素子を介して前段側から後段側へ送る順方向信号転送と、該順路ゲート素子を閉じる一方該逆路ゲート素子を開く事により、該入力されたスタート信号を該最初の順路ゲート素子で遮断する一方該バイパス路から該最終の逆路ゲート素子を介して後段側から前段側へ送る逆方向信号転送とを切り換え選択可能とする。【０００８】かかる構成を有する双方向信号転送シフトレジスタは、例えばアクティブマトリクス液晶表示装置に適用可能である。即ち、本発明にかかるアクティブマトリクス液晶表示装置は、所定の間隙を介して対面配置された一対の基板と該間隙内に保持された液晶層とからなるフラットパネル構造を有する。一方の基板には行方向に沿って配列したゲート線と、列方向に沿って配列したデータ線と、該ゲート線及びデータ線の交点に位置する能動素子と、個々の能動素子により駆動される画素電極と、該ゲート線にゲート信号を線順次供給する垂直駆動回路と、該データ線にデータ信号を線順次供給する水平駆動回路とが形成されている。他方の基板には対向電極が形成されており、個々の画素電極との間の電位差に応じて所望の画像を表示する。かかる構成において、前記垂直駆動回路及び水平駆動回路の少なくとも一方は信号の線順次供給順序を順逆双方向に切り換え制御可能な双方向信号転送シフトレジスタを含んでおり、選択的に画像の反転表示を行なう。前記双方向信号転送シフトレジスタは一対の入力端子及び出力端子を各々有する複数のフリップフロップから構成され、入出力端子間を順次接続した多段構造を有し、互いに隣り合う前後フリップフロップの前段側出力端子と後段側入力端子間の接続路に介在する順路ゲート素子及び後段側出力端子と前段側入力端子間の接続路に介在する逆路ゲート素子とを含んでいる。多段に接続した複数のフリップフロップのうち先頭のフリップフロップの入力端子には、最初の順路ゲート素子が接続されており、多段に接続した複数のフリップフロップのうち最後のフリップフロップの入力端子には、最終の逆路ゲート素子が接続されており、外部から入力されたスタート信号を該最初の順路ゲート素子と同時に該最終の逆路ゲート素子にも送るため、該最初の順路ゲート素子と該最終の逆路ゲート素子との間にバイパス路が接続されている。該順路ゲート素子を開く一方該逆路ゲート素子を閉じる事により、該入力されたスタート信号を該最終の逆路ゲート素子で遮断する一方該最初の順路ゲート素子を介して前段側から後段側へ送る順方向信号転送と、該順路ゲート素子を閉じる一方該逆路ゲート素子を開く事により、該入力されたスタート信号を該最初の順路ゲート素子で遮断する一方該バイパス路から該最終の逆路ゲート素子を介して後段側から前段側へ送る逆方向信号転送とを切り換え選択する。例えば、垂直駆動回路が双方向信号転送シフトレジスタを含んでいる場合には、選択的に画像の上下反転表示が可能になる。水平駆動回路が双方向信号転送シフトレジスタを含んでいる場合には、選択的に画像の左右反転表示が可能になる。【０００９】本発明は双方向信号転送シフトレジスタに限られるものではなく、広く双方向信号伝送回路網に適用可能である。即ち、本発明にかかる双方向信号伝送回路網は比較的高インピーダンスの入力端子及び比較的低インピーダンスの出力端子を各々備え各々がフリップフロップからなる複数の信号伝送ブロックから構成され、入出力端子間を順次接続した多段構造を有する。互いに隣り合う前後信号伝送ブロックの前段側出力端子と後段側入力端子間の接続路に介在する順路ゲート素子及び後段側出力端子と前段側入力端子間の接続路に介在する逆路ゲート素子とを含んでいる。多段に接続した複数のフリップフロップのうち先頭のフリップフロップの入力端子には、最初の順路ゲート素子が接続されており、多段に接続した複数のフリップフロップのうち最後のフリップフロップの入力端子には、最終の逆路ゲート素子が接続されており、外部から入力されたスタート信号を該最初の順路ゲート素子と同時に該最終の逆路ゲート素子にも送るため、該最初の順路ゲート素子と該最終の逆路ゲート素子との間にバイパス路が接続されている。さらに制御手段を含んでおり、該順路ゲート素子を開く一方該逆路ゲート素子を閉じる事により、該入力されたスタート信号を該最終の逆路ゲート素子で遮断する一方該最初の順路ゲート素子を介して前段側から後段側へ送る順方向信号伝送処理と、該順路ゲート素子を閉じる一方該逆路ゲート素子を開く事により、該入力されたスタート信号を該最初の順路ゲート素子で遮断する一方該バイパス路から該最終の逆路ゲート素子を介して後段側から前段側へ送る逆方向信号伝送処理とを切り換え選択可能にする。【００１０】かかる構成を有する双方向信号伝送回路網は例えば二次元アドレス装置の駆動回路に適用可能である。即ち、本発明にかかる二次元アドレス装置は行走査線群と、列走査線群と、両走査線群の個々の交点に対応して配置された能動素子群と、少なくとも一方の走査線群に接続され順次駆動信号を供給する駆動回路とを含んでいる。該駆動回路は駆動信号の供給順序を順逆双方向に切り換え可能な双方向信号伝送回路網を含んでいる。この回路網は、一対の入力端子及び出力端子を夫々備え各々がフリップフロップからなる複数の信号伝送ブロックから構成され、入出力端子間を順次接続した多段構造を有する。互いに隣り合う前後信号伝送ブロックの前段側出力端子と後段側入力端子間の接続路に介在する順路ゲート素子及び後段側出力端子と前段側入力端子間の接続路に介在する逆路ゲート素子とを含んでいる。多段に接続した複数のフリップフロップのうち先頭のフリップフロップの入力端子には、最初の順路ゲート素子が接続されており、多段に接続した複数のフリップフロップのうち最後のフリップフロップの入力端子には、最終の逆路ゲート素子が接続されており、外部から入力されたスタート信号を該最初の順路ゲート素子と同時に該最終の逆路ゲート素子にも送るため、該最初の順路ゲート素子と該最終の逆路ゲート素子との間にバイパス路が接続されている。該順路ゲート素子を開く一方該逆路ゲート素子を閉じる事により、該入力されたスタート信号を該最終の逆路ゲート素子で遮断する一方該最初の順路ゲート素子を介して前段側から後段側へ送る順方向信号伝送と、該順路ゲート素子を閉じる一方該逆路ゲート素子を開く事により、該入力されたスタート信号を該最初の順路ゲート素子で遮断する一方該バイパス路から該最終の逆路ゲート素子を介して後段側から前段側へ送る逆方向信号伝送とを切り換え選択可能とする。複数の信号伝送ブロックの各段出力端子を夫々対応する走査線に接続する事により、順逆双方向の二次元アドレッシングを行なう事が可能になる。」
　２　訂正の適否
　（１）訂正事項１は、請求項１については、「多段に接続した複数のフリップフロップのうち先頭のフリップフロップの入力端子には、最初の順路ゲート素子が接続されており、多段に接続した複数のフリップフロップのうち最後のフリップフロップの入力端子には、最終の逆路ゲート素子が接続されており、外部から入力されたスタート信号を該最初の順路ゲート素子と同時に該最終の逆路ゲート素子にも送るため、該最初の順路ゲート素子と該最終の逆路ゲート素子との間にバイパス路が接続されており」との限定を付加し、順方向信号伝送処理について順路ゲート素子を「開く」一方で逆路ゲート素子を「閉じる」ことにより、入力されたスタート信号を「最終の逆路ゲート素子で遮断する」との限定を付加し、逆方向信号伝送処理について順路ゲート素子を「閉じる」一方で逆路ゲート素子を「開く」ことにより、入力されたスタート信号を「最初の順路ゲート素子で遮断する」との限定を付加するものであり、特許請求の範囲の減縮を目的とするものである。
　請求項２、３及び６についても同様であり、これらの請求項についての訂正も特許請求の範囲の減縮を目的とするものである。
　そして、訂正事項１は、願書に添付した明細書又は図面に記載した事項の範囲内の訂正であり、実質上特許請求の範囲を拡張し、又は変更するものでもない。
　（２）訂正事項２は、特許請求の範囲の記載と発明の詳細な説明の記載との整合をとるためのものであり、明りょうでない記載の釈明を目的とするものである。
　そして、訂正事項２は、願書に添付した明細書又は図面に記載した事項の範囲内の訂正であり、実質上特許請求の範囲を拡張し、又は変更するものでもない。
　（３）したがって、この訂正は、平成１５年法律第４７号による改正前の特許法１２０条の４第３項において準用する平成６年法律第１１６号による改正前の特許法１２６条１項ただし書、２項及び３項の規定に適合するので、これを認める。
　
第３　特許異議の申立ての理由
　１　特許異議申立人佐々木彩の特許異議申立ての理由
　本件特許の請求項１から６までに係る発明は、当業者が実願昭５５−７９２２１号（実開昭５７−４１００号）のマイクロフィルム（甲第１号証。以下「刊行物１」という。）、特開平５−１４３０２４号公報（甲第２号証。以下「刊行物２」という。）、雨宮好文著「ディジタル回路の考えかた」（９４〜９５頁。昭和５７年５月１０日株式会社昭晃堂発行。甲第３号証。以下「刊行物３」という。）及び特開平５−６６３８３号公報（甲第４号証。以下「刊行物４」という。）に記載された発明に基いて容易に発明をすることができたものであるから、特許法２９条２項の規定により特許を受けることができない。
　２　特許異議申立人中川徹の特許異議申立ての理由
　本件特許の請求項１から６までに係る発明は、当業者が特開平２−１３７８８６号公報（甲第１号証。以下「刊行物５」という。）に記載された発明並びに特開平１−１７０９８８号公報（参考資料１。以下「刊行物６」という。）、特開昭５７−９６３９０号公報（参考資料２。以下「刊行物７」という。）及び特開平３−１４０９９５号公報（参考資料３。以下「刊行物８」という。）に記載された周知技術に基いて容易に発明をすることができたものであるから、特許法２９条２項の規定により特許を受けることができない。
　
第４　本件特許の請求項に係る発明
　上記のように訂正が認められるから、本件特許の請求項１から６までに係る発明（以下「本件発明１」などという。）は、上記訂正請求に係る訂正明細書の特許請求の範囲の請求項１から６までに記載された、上記のとおりのものである。
　
第５　刊行物に記載された発明
　１　刊行物１
　刊行物１には、図面とともに、「複数段に縦続接続されたＤ形のフリップフロップ回路（以下、ＦＦＣ）ＦＦ１〜ＦＦ４によりシフトレジスタが構成」（明細書７頁１６〜１８行）、「ＦＦＣ・ＦＦ２から見ればＦＦＣ・ＦＦ１の出力端子Ｑが、ゲート回路Ｇ２を介して次段としてのＦＦＣ・ＦＦ２におけるデータ端子Ｄへ接続されており、ＦＦＣ・ＦＦ２〜ＦＦ４においてもゲート回路Ｇ３、Ｇ４を介し、同様の接続となっている。」（明細書８頁３〜７行）、「ＡＮＤゲートおよびＯＲゲートからなるゲート回路Ｇ１〜Ｇ４は、シフトレジスタを構成するＦＦＣ・ＦＦ１のシフト信号入力側すなわち、データ端子Ｄの入力側および、各段のＦＦＣ・ＦＦ１〜ＦＦ４における段間へ各個に挿入され、シフト方向制御端子ＳＣに与えられる方向指定信号（ＳＤ）が“Ｈ”の場合には、図上左方の各ＡＮＤゲートがオンとなり、ゲート回路Ｇ１の左方ＡＮＤゲートへスイッチ回路ＢＳ１を介して与えられたシフト信号を、クロック端子ＣＰからのクロックパルス（ＣＰ）に応じて各ＦＦＣ・ＦＦ１〜ＦＦ４が逐次シフトし」（明細書８頁８〜１９行）、「方向指定信号（ＳＤ）が“Ｌ”となれば、インバータＩＶを介して各ゲート回路Ｇ１〜Ｇ４の右方ＡＮＤゲートをオンとする」（明細書９頁１〜３行）、「スイッチ回路ＢＳ３からのシフト信号がＦＦＣ・ＦＦ４のデータ端子Ｄへ与えられると共に、ＦＦＣ・ＦＦ４からＦＦ１の方向へシフトが行なわれ」（明細書９頁４〜７行）、「シフトレジスタを構成するＦＦＣ・ＦＦ１〜ＦＦ４のシフト信号入力側およびシフト信号出力側すなわち、ＦＦＣ・ＦＦ１とＦＦ４とのデータ端子Ｄおよび出力端子Ｑと、第１および第２入出力端子Ｉ／Ｏ１、Ｉ／Ｏ２との相互間に、半導体スイッチ等のスイッチ回路ＢＳ１〜ＢＳ４が各個に挿入されており、方向指定信号（ＳＤ）が“Ｈ”の場合には、スイッチ回路ＢＳ１、ＢＳ４がオンとなり、第１入出力端子Ｉ／Ｏ１からのシフト信号をシフト入力としてＦＦＣ・ＦＦ１へ与え、ＦＦＣ・ＦＦ４からのシフト出力を第２入出力端子Ｉ／Ｏ２へ送出する。これに対し、方向指定信号（ＳＤ）が“Ｌ”の場合には、インバータＩＶ１を介した“Ｈ”がスイッチ回路ＢＳ２、ＢＳ３へ与えられ、これらがオンとなるため、第２入出力端子Ｉ／Ｏ２からのシフト信号をシフト入力としてＦＦＣ・ＦＦ４へ与えると共に、ＦＦＣ・ＦＦ１からのシフト出力を第１入出力端子Ｉ／Ｏ１へ送出する。」（明細書９頁９行〜１０頁７行）、「一対の入出力端子間におけるシフト方向を任意に設定できる」（明細書１２頁２〜３行）との記載がされている。
　２　刊行物２
　刊行物２には、図面とともに、「【００１２】・・・（図１）において、駆動回路はゲートバスラインｘｉを駆動するゲート駆動回路５とソースバスラインラインｙｊを駆動する４つのソース駆動回路６、７、８、９で構成される。【００１３】ソース駆動回路６、７、８、９は同じ構成であり、（図２）に示すようにｍビットのシフトレジスタ２１とｍ個のサンプルホールド回路２２を持つ。アクティブマトリクス液晶パネル１の各画素は、スイッチング素子としての薄膜トランジスタ２と液晶セル３によって構成される。薄膜トランジスタ２のソースはソースバスラインｙｊに接続され、ゲートはゲートバスラインｘｉに接続され、液晶セル３は薄膜トランジスタ２のドレインとコモン電極４に接続される。【００１４】以上のように構成されたアクティブマトリクス型液晶パネルにおいて、以下その駆動方法について説明する。ソース駆動回路６、７、８、９にはそれぞれ映像信号を入力し、（図３）に示す制御信号ＳＴを制御信号ＣＫによって１ビットずつシフトするｍ段のシフトレジスタ２１のビットシフトとともに、ｍ個のサンプルホールド回路２２に映像信号を順次保持していく。サンプルホールド回路２２に保持されたｍ個の映像データは、制御信号ＳＤにより出力スイッチ２３をオンすると、それぞれ同時に出力バッファ２４を介して出力ピンＰ１からＰｍより出力される。出力ピンはそれぞれソースバスラインに接続されており、ゲートバスラインｘｉがゲート駆動回路５によってアクティブとなり薄膜トランジスタ２がオンしたとき、サンプルホールド回路２２に保持された映像データはソースバスラインｙｊを介し液晶セル３に印加される。【００１５】ソース駆動回路６の出力ピンＰ１からＰｍはソースバスラインｙ１からｙｍに接続し、ソース駆動回路７の出力ピンＰ１からＰｍはソースバスラインｙｍ＋１からｙ２ｍに接続し、ソース駆動回路８の出力ピンＰ１からＰｍはソースバスラインｙ２ｍ＋１からｙ３ｍに接続し、ソース駆動回路９の出力ピンＰ１からＰｍはソースバスラインｙ３ｍ＋１からｙ４ｍに接続する。ソース駆動回路６、７、８、９における映像データの保持は同時に行う。すなわち、それぞれのソース駆動回路には同じ制御信号ＳＴ及び制御信号ＣＫを入力する。そのとき入力する映像信号は、それぞれのソース駆動回路で液晶パネル１を駆動する領域に対応して、水平方向に分割され時間軸を揃えた信号を入力する。それぞれのソース駆動回路に同じ制御信号ＳＤを入力すると、映像データはソースバスラインｙ１からｙ４ｍに出力され、その結果一走査線の映像データが液晶パネル１に書き込まれる。上記の動作をくり返すとともに、ゲート駆動回路５がゲートバスラインを順次走査しアクティブとすることにより、液晶パネル１に画像が得られる。」、「【００１６】・・・シフトレジスタ２１としては双方向に動作するシフトレジスタを用い、制御信号ＲＬ（図示せず）によって切換スイッチ２５の接続を切り換えることで、サンプルホールド回路２２に映像データを保持していく順番を反転できるようにする。」との記載がされている。
　３　刊行物３
　刊行物３には、図面とともに、「ＮＡＮＤゲートを使ってつくったＤフリップフロップは、図４．４３のように構成される。」（９５頁２〜３行）との記載がされている。
　４　刊行物４
　刊行物４には、図面とともに、「【請求項４】・・・垂直走査回路は双方向にシフトが可能な双方向シフトレジスタである」、「【００１８】・・・双方向シフトレジスタ１１Ｗはシフト方向を決める信号ＶＳＦが“Ｈ”のときは順方向（行信号線を１２−１→１２−ｎの順で走査）に、“Ｌ”のときは逆方向にシフトするシフトレジスタである。」との記載がされている。
　５　刊行物５
　刊行物５には、図面とともに、「本発明は、入力されたデータをクロック信号によって順次シフトするシフトレジスタに関し、特に、液晶テレビ等のディスプレイ装置において順次画面を操作するためのシフトレジスタに関する。」（１頁右下欄１８行〜２頁左上欄２行）、「従来の双方向性シフトレジスタに使用されているＤ−ＦＦは、マスタースレーブ型のフリップフロップ２段で構成されているため、双方向性シフトレジスタの構成素子数が多くなり、集積回路化する場合、シフトレジスタの占有面積が大きくなる不都合があった。」（２頁左上欄１５〜２０行）、「本発明は、上述した点に鑑みて創作されたものであり、複数の継続接続されたクロックドフリップフロップと、前記各クロックドフリップフロップの入力に設けられ、前段のクロックドフリップフロップの出力と後段のクロックドフリップフロップの出力とを制御信号によって選択切り替える切り替え回路と、前記制御信号と連動して前記クロックドフリップフロップに供給するクロック信号の位相を反転するクロック制御回路と、を備えたものである。」（２頁右上欄２〜１１行）、「本発明に係るシフトレジスタは、Ｄ−ＦＦのマスター段及びスレーブ段を構成するクロックドフリップフロップを独立し、各々の入力に設けられた切り替え回路により、いずれのシフト方向においても、各々がシフトレジスタの各段を構成するようになる。また、クロックドフリップフロップを独立したことにより、クロック信号とデータのシフトタイミングが右シフトと左シフトで半周期ずれるのを、シフト方向に応じてクロックパルスを反転することにより防止し、あるいは、右シフトと左シフトの各々の場合に、第１あるいは第２のラッチに入力データをラッチさせることにより防止している。」（２頁左下欄１１行〜右下欄４行）、「第１図（ａ）、（ｂ）は、本発明の実施例を示す回路図であり、４段の双方向シフトレジスタの例である。第１図（ａ）において、ＦＦ１〜ＦＦ４は、各々インバータ（１）（２）と、クロック・・・により相補的にオン及びオフするトランスミッションゲート（３）（４）と、から構成されたクロックドフリップフロップであり、ＦＦ１、ＦＦ３とＦＦ２、ＦＦ４は、入力データを取り込んで出力するクロックφ・・・のタイミングが１８０度異なっている。また、ＦＦ１、ＦＦ３の各出力は、インバータ（１）の出力がインバータ（５）を介して各々Ｄ１、Ｄ３として出力され、ＦＦ２、ＦＦ４の各出力は、インバータ（１）の出力が各々Ｄ２、Ｄ４として出力される。（６）は、ＦＦ１〜ＦＦ４の入力に設けられた切り替え回路であり、各切り替え回路（６）は、右シフトと左シフトを切り替える制御信号Ｒ／Ｌにより、相補的にオン及びオフするトランスミッションゲート（７）（８）から構成される。トランスミッションゲート（７）には、前段からの出力が印加され、トランスミッションゲート（８）には、次段からの出力が印加される。（９）（１０）は、データの入出力端子である。端子（９）は、ＦＦ１の切り替え回路（６）のトランスミッションゲート（７）に接続され、さらに、制御信号Ｒ／Ｌで制御されるトランスミッションゲート（１１）を介してＦＦ１の出力と接続される。端子（１０）は、ＦＦ４���切り替え回路（６）のトランスミッションゲート（７）に接続され、さらに、制御信号Ｒ／Ｌで制御されるトランスミッションゲート（１２）を介してＦＦ４の出力と接続される。」（２頁右下欄６行〜３頁左上欄１７行）、「第１図（ａ）、（ｂ）において、制御信号Ｒ／Ｌが“Ｌ”レベルの場合、トランスミッションゲート（７）がオンするため、右シフトが選択される。また、トランスミッションゲート（１７）（１８）がオンするので、クロックφ・・・は各々シフトクロックＣＬ・・・となる。従って、ＦＦ１、ＦＦ３は、シフトクロックＣＬの立ち下がりで動作し、ＦＦ２、ＦＦ４は、立ち上がりで動作する。第２図（ａ）は、右シフトの動作を示すタイミング図である。端子（９）に印加されたデータ“１”は、シフトクロックＣＬの立ち下がりでＦＦ１にシフトされ、シフトクロックＣＬの立ち上がりでＦＦ２にシフトされる。以後は同様にしてシフトされる。一方、制御信号Ｒ／Ｌが“Ｈ”レベルの場合、トランスミッションゲート（８）がオンするため、左シフトが選択される。また、トランスミッションゲート（１６）（１９）がオンするので、クロックφ・・・は各々シフトクロックＣＬ・・・となる。従って、ＦＦ１、ＦＦ３は、シフトクロックＣＬの立ち上がりで動作し、ＦＦ２、ＦＦ４は、立ち下がりで動作する。第２図（ｂ）は、左シフトの動作を示すタイミング図である。端子（１９）に印加されたデータ“１”は、シフトクロックＣＬの立ち下がりでＦＦ４にシフトされ、シフトクロックＣＬの立ち上がりでＦＦ３にシフトされる。以後は同様にしてシフトされる。従って、シフト方向によって、シフトクロックＣＬ・・・を反転することにより、データのシフトとシフトクロックＣＬのタイミングが等しくなる。」（３頁右上欄８行〜左下欄１９行）、「上述の如く、本発明によれば、シフトレジスタを構成するフリップフロップが従来の半分となるため、素子数が減少し、半導体上の占有面積が小さくなる利点がある。また、シフトクロックＣＬの個数も半分となるので、周波数が１／２となり、低速化が図れると共に、消費電力も少なくなる利点がある。」（４頁１１〜１７行）との記載がされている。
　６　刊行物６
　刊行物６には、図面とともに、「上記問題点を解決する為に、本発明では、線順次方式で走査される表示装置において、線順次を行なう縦方向電極（信号用）が接続されている駆動回路内の信号用シフトレジスタを双方向性として、その信号の入力方向を左または右にスイッチで切換え、又信号用シフトレジスタ内の信号移動方向を切換えるスイッチを備えるという構成にしたものである。」（１頁右下欄１３〜２０行）との記載がされている。
　７　刊行物７
　刊行物７には、図面とともに、「特許請求の範囲　１．行電極と列電極間に視角が特定の方向に限定される表示体を設け、上記２電極の交叉部に画素を形成するマトリクス表示パネル、画像データを入力し、上記列電極を駆動する列電極駆動信号を出力する列電極駆動回路、上記行電極を走査する行電極駆動信号を出力する行電極駆動回路を具備するものに於いて、上記画像データの入力順序を反転させうるスイッチを設けることを特徴とするマトリクス表示装置。　２．特許請求の範囲第１項に於いて、列電極駆動回路は直列画像データを入力として該直列画像データを並列画像データに変換し、かつ上記直列画像データの転送方向を反転できうる双方向シフトレジスタ回路を有することを特徴とするマトリクス表示装置。」との記載がされている。
　８　刊行物８
　刊行物８には、図面とともに、「シフト方向切替え回路１６は上記コモン駆動回路１２Ａ、１２Ｂのシフト方向を切替え設定するための回路であって、切替えを指令する外部からの信号ＤＩＲ、表示制御回路１４の出力端子Ｓから出力されるシフトデータｓ、表示制御回路１４のクロック出力端子ＣＰ１から出力されるクロックｃｐ１、タイミング信号生成回路１７から出力されるタイミング信号ＲＣＯを受けてコモン駆動回路１２Ａ、１２Ｂの入力端子ＳＨＬに与えるシフト方向指定信号ＭＤＩＲをハイレベルの信号またはローレベルの信号に切替え設定すると同時に、表示制御回路１４の出力端子Ｓから出力されるシフトデータｓをコモン駆動回路１２Ａのシフトデータ入出力端子ＤＩＯ１またはコモン駆動回路１２Ｂのシフトデータ入出力端子ＤＩＯ２のいずれか一方に切替えて与える機能を持つ。」（５頁左上欄２０行〜右上欄１５行）、「第２図において、シフト方向切替え回路１６は２つのスイッチ１８、１９と、２つのインバータ２０、２１と、２つのＡＮＤゲート２２、２３と、１つのＯＲゲート２４と、２つのフリップフロップ２５、２６とで構成されている。スイッチ１８、１９には、その入力としてシフトデータｓがそれぞれ与えられる。ＡＮＤゲート２２には、外部から送られてくる切替え指令信号ＤＩＲとタイミング信号生成回路１７からのタイミング信号ＲＣＯとが２入力として与えられる。もう一方のＡＮＤゲート２３には、タイミング信号ＲＣＯをインバータ２０で反転した信号とフリップフロップ２５の非反転出力とが２入力として与えられる。２つのＡＮＤゲート２２、２３の出力はＯＲゲート２４の２入力として与えられ、ＯＲゲート２４の出力はフリップフロップ２５のデータ入力として与えられる。また、そのフリップフロップ２５の非反転出力は次段のフリップフロップ２６のデータ入力として与えられ、フリップフロップ２６の非反転出力はスイッチ１９をオン・オフ制御する制御信号として、フリップフロップ２６の反転出力はもう一方のスイッチ１８をオン・オフ制御する制御信号としてそれぞれ与えられる。表示制御回路１４のクロック出力端子ＣＰ１から出力されるクロックｃｐ１はインバータ２１で反転されてフリップフロップ２５、２６のクロックとして与えられる。さらに、スイッチ１８を経たシフトデータｓ（ここでは符号ＳＨ２で表される）はコモン駆動回路１２Ｂのシフトデータ入出力端子ＤＩＯ２側に与えられ、スイッチ１９を経たシフトデータｓ（ここでは符号ＳＨ０で表される）はコモン駆動回路１２Ａのシフトデータ入出力端子ＤＩＯ１側に与えられる。フリップフロップ２５の非反転出力はシフト方向指定信号ＭＤＩＲとしてコモン駆動回路１２Ａ、１２Ｂの入力端子ＳＨＬに与えられる。」（５頁左下欄１８行〜６頁左上欄１３行）との記載がされている。
　
第６　当審の判断
　本件発明１と刊行物１から８までに記載された発明とを対比すると、刊行物１から８までに記載された発明はいずれも本件発明１の構成要件である「多段に接続した複数のフリップフロップのうち先頭のフリップフロップの入力端子には、最初の順路ゲート素子が接続されており、多段に接続した複数のフリップフロップのうち最後のフリップフロップの入力端子には、最終の逆路ゲート素子が接続され」るようにしたものにおいて「外部から入力されたスタート信号を該最初の順路ゲート素子と同時に該最終の逆路ゲート素子にも送るため、該最初の順路ゲート素子と該最終の逆路ゲート素子との間にバイパス路が接続され」る点を備えていない。
　そして、本件発明１は、上記の点により本件明細書記載の作用、効果を奏するものであり、当業者が刊行物１から８までに記載された発明に基いて容易に発明をすることができたものであるということはできない。
　本件発明２、３及び６は、同じく上記の点を構成要件とするものであるから、本件発明１と同様に、当業者が刊行物１から８までに記載された発明に基いて容易に発明をすることができたものであるということはできない。
　本件発明４及び５は、本件発明３を引用する発明であるから本件発明３と同様に、当業者が刊行物１から８までに記載された発明に基いて容易に発明をすることができたものであるということはできない。
　したがって、本件発明１から６までについての特許が特許法２９条２項の規定に違反してされたものであるとすることはできない。
　
第７　むすび
　以上のとおりであるから、特許異議の申立ての理由及び証拠によっては本件発明１から６までについての特許を取り消すことはできない。
　また、他に本件発明１から６までについての特許を取り消すべき理由を発見しない。
　よって、結論のとおり決定する。
【異議決定日】
平成１６年６月１０日（２００４．６．１０）
【訂正の要旨】
審決（決定）の【理由】欄参照。
（５４）【発明の名称】
双方向信号伝送回路網及び双方向信号転送シフトレジスタ
（５７）【特許請求の範囲】
　【請求項１】　比較的高インピーダンスの入力端子及び比較的低インピーダンスの出力端子を各々備え各々がフリップフロップからなる複数の信号伝送ブロックから構成され、入出力端子間を順次接続した多段構造を有し、
　互いに隣り合う前後信号伝送ブロックの前段側出力端子と後段側入力端子間の接続路に介在する順路ゲート素子及び後段側出力端子と前段側入力端子間の接続路に介在する逆路ゲート素子
を備え
　
多段に接続した複数のフリップフロップのうち先頭のフリップフロップの入力端子には、最初の順路ゲート素子が接続されており、
　多段に接続した複数のフリップフロップのうち最後のフリップフロップの入力端子には、最終の逆路ゲート素子が接続されており、
　外部から入力されたスタート信号を該最初の順路ゲート素子と同時に該最終の逆路ゲート素子にも送るため、該最初の順路ゲート素子と該最終の逆路ゲート素子との間にバイパス路が接続されており、
　該順路ゲート素子
を開く一方該
閉じる事により、該入力された
該最終の逆路ゲート素子で遮断する一方該
、該順路ゲート素子を閉じる一方該逆路ゲート素子を開く事により、該入力された
該最初の順路ゲート素子で遮断する一方該
該
と
を備えた
　双方向信号伝送回路網。
　【請求項２】　一対の入力端子及び出力端子を各々備えた複数のフリップフロップから構成され、入出力端子間を順次接続した多段構造を有し、
　互いに隣り合う前後フリップフロップの前段側出力端子と後段側入力端子間の接続路に介在する順路ゲート素子及び後段側出力端子と前段側入力端子間の接続路に介在する逆路ゲート素子とを含んでおり
　
多段に接続した複数のフリップフロップのうち先頭のフリップフロップの入力端子には、最初の順路ゲート素子が接続されており、
　多段に接続した複数のフリップフロップのうち最後のフリップフロップの入力端子には、最終の逆路ゲート素子が接続されており、
　外部から入力されたスタート信号を該最初の順路ゲート素子と同時に該最終の逆路ゲート素子にも送るため、該最初の順路ゲート素子と該最終の逆路ゲート素子との間にバイパス路が接続されており、
　該順路ゲート素子
を開く一方該
閉じ
、該入力された
該最終の逆路ゲート素子で遮断する一方該
、
　
該順路ゲート素子を閉じる一方該逆路ゲート素子を開く事により、該入力された
該最初の順路ゲート素子で遮断する一方該
該
と
　双方向信号転送シフトレジスタ。
　【請求項３】　所定の間隙を介して対面配置された一対の基板と該間隙内に保持された液晶層とからなるフラットパネル構造を有し、
　一方の基板には行方向に沿って配列したゲート線と、列方向に沿って配列したデータ線と、該ゲート線及びデータ線の交点に位置する能動素子と、個々の能動素子により駆動される画素電極と、該ゲート線にゲート信号を線順次供給する垂直駆動回路と、該データ線にデータ信号を線順次供給する水平駆動回路とが形成されており、
　他方の基板には対向電極が形成されており個々の画素電極との間の電位差に応じて所望の画像を表示するアクティブマトリクス液晶表示装置において、
　前記垂直駆動回路及び水平駆動回路の少なくとも一方は信号の線順次供給順序を順逆双方向に切り換え制御可能な双方向シフトレジスタを含んでおり、選択的に画像の反転表示を行ない、
　前記双方向シフトレジスタは一対の入力端子及び出力端子を各々有する複数のフリップフロップから構成され、入出力端子間を順次接続した多段構造を有し、
　互いに隣り合う前後フリップフロップの前段側出力端子と後段側入力端子間の接続路に介在する順路ゲート素子及び後段側出力端子と前段側入力端子間の接続路に介在する逆路ゲート素子とを含んでおり、
　
多段に接続した複数のフリップフロップのうち先頭のフリップフロップの入力端子には、最初の順路ゲート素子が接続されており、
　多段に接続した複数のフリップフロップのうち最後のフリップフロップの入力端子には、最終の逆路ゲート素子が接続されており、
　外部から入力されたスタート信号を該最初の順路ゲート素子と同時に該最終の逆路ゲート素子にも送るため、該最初の順路ゲート素子と該最終の逆路ゲート素子との間にバイパス路が接続されており、
　該順路ゲート素子
を開く一方該
閉じ
、該入力された
該最終の逆路ゲート素子で遮断する一方該
、
　
該順路ゲート素子を閉じる一方該逆路ゲート素子を開く事により、該入力された
該最初の順路ゲート素子で遮断する一方該
該
と
　【請求項４】　垂直駆動回路が双方向シフトレジスタを含んでおり、選択的に画像の上下反転表示を可能とする事を特徴とする請求項３記載のアクティブマトリクス液晶表示装置。
　【請求項５】　水平駆動回路が双方向シフトレジスタを含んでおり、選択的に画像の左右反転表示を可能とする事を特徴とする請求項３記載のアクティブマトリクス液晶表示装置。
　【請求項６】　行走査線群と、列走査線群と、両走査線群の個々の交点に対応して配置された能動素子群と、少なくとも一方の走査線群に接続され順次駆動信号を供給する駆動回路とを含む二次元アドレス装置において、
　該駆動回路は駆動信号の供給順序を順逆双方向に切り換え可能な双方向信号伝送回路網からなり、
　入力端子及び出力端子を夫々備え各々がフリップフロップからなる複数の信号伝送ブロックから構成され、入出力端子間を順次接続した多段構造を有し、
　互いに隣り合う前後信号伝送ブロックの前段側出力端子と後段側入力端子間の接続路に介在する順路ゲート素子及び後段側出力端子と前段側入力端子間の接続路に介在する逆路ゲート素子を含んでおり、
　
多段に接続した複数のフリップフロップのうち先頭のフリップフロップの入力端子には、最初の順路ゲート素子が接続されており、
　多段に接続した複数のフリップフロップのうち最後のフリップフロップの入力端子には、最終の逆路ゲート素子が接続されており、
　外部から入力されたスタート信号を該最初の順路ゲート素子と同時に該最終の逆路ゲート素子にも送るため、該最初の順路ゲート素子と該最終の逆路ゲート素子との間にバイパス路が接続されており、
　該順路ゲート素子
を開く一方該
閉じる事により、該入力された
該最終の逆路ゲート素子で遮断する一方該最
　
該順路ゲート素子を閉じる一方該逆路ゲート素子を開く事により、該入力された
該最初の順路ゲート素子で遮断する一方該
該
と
　複数の信号伝送ブロックの各段出力端子を夫々対応する走査線に接続した事を特徴とする二次元アドレス装置。
【発明の詳細な説明】
　【０００１】
　【産業上の利用分野】
　本発明は一般的に双方向信号伝送回路網に関する。具体的には双方向信号転送シフトレジスタに関する。双方向信号転送シフトレジスタは例えばアクティブマトリクス液晶表示装置の駆動回路に組み込まれ画像の反転表示に用いられる。
　【０００２】
　【従来の技術】
　本発明の背景を明らかにする為、図６を参照して従来のアクティブマトリクス液晶表示装置の一般的な構成を簡潔に説明する。図示する様に、アクティブマトリクス液晶表示装置（ＬＣＤ）１００は所定の電気光学効果を奏する液晶層１０１を有しており、一対の透明ガラス基板１０２，１０３によって挟持されている。一方の基板１０２の内表面にはマトリクス状に配列された画素電極１０４が形成されている。各画素電極に対応して多結晶シリコン等からなる薄膜トランジスタ１０５が接続している。薄膜トランジスタ１０５のドレイン電極は対応する画素電極１０４に接続されており、ソース電極は対応するデータ線１０６に接続されており、ゲート電極は対応するゲート線１０７に接続されている。他方の基板１０３の内表面には対向電極１０８が全面的に形成されている。個々の薄膜トランジスタ１０５を介して対応する画素電極１０４に画像データ信号が書き込まれる。画像データ信号により生じた液晶層１０１の電気光学的な変化を例えば一対の偏光板（図示せず）により透過光量変化として検出し所望の画像表示を行なうものである。
　【０００３】
　かかる構成を有するアクティブマトリクス液晶表示装置は、例えば液晶プロジェクタのライトバルブに利用できる。液晶プロジェクタは三原色の各々が割り当てられた３枚のＬＣＤと共通の拡大投射レンズ系とから構成されている。各ＬＣＤは赤、緑、青の色系統別にライトバルブとして機能する。各ＬＣＤは一次画像を赤、緑、青色成分に分解して表示する。同時に各ＬＣＤには赤、緑、青色の照明光が入射する。各ＬＣＤの単色透過光像をダイクロイックプリズム又はダイクロイックミラーによって合成した後、この合成されたフルカラー画像を投射レンズ系でスクリーン上に拡大投影するものである。この液晶プロジェクタの光学系では、一次画像は数回の反射反転を繰り返した後合成される。光学系の配置構造によっては色系統毎に反射反転回数が異なる。従って、整合したフルカラー画像を得る為には、予め特定の色の一次画像を反転表示させておく必要がある。又、液晶プロジェクタの設置環境によっては、天井部に逆姿勢で取り付け投影を行なう事も考えられる。この場合にも、ＬＣＤに表示される一次画像を予め反転させておく必要がある。
　【０００４】
　この様に、従来からＬＣＤの使用目的や用途によって反転表示が適宜選択可能な構造が要求されている。この為、従来から種々の画像反転方式が提案されている。例えば、図７に示す画像信号処理を利用した方式が知られている。図示する様に、元の画像データ信号ＳＩＧは一旦Ａ／Ｄ反転処理回路１１０に入力される。ここで、アナログの画像データ信号ＳＩＧはデジタルデータ信号に変換された後、反転処理が行なわれる。例えば、データ信号をフレームメモリに順次書き込んだ後、逆方向から読み出し、バッファ１１１を介してＬＣＤ１００に供給する。
　【０００５】
　図８は画像反転の他の方式を示す模式図である。ＬＣＤ１００のゲート線１０７には下方走査回路１２０が接続されている。この下方走査回路１０７には通常の単方向シフトレジスタが内蔵されており、ゲート信号を順次画面の上端から下端に向かってゲート線１０７に送出する。又、これらゲート線１０７には上方走査回路１２１も接続されている。この上方走査回路１２１にも単方向シフトレジスタが内蔵されており、画面の下端から上端に向かって順次ゲート信号をゲート線１０７に送出する。これら一対の下方走査回路１２０、上方走査回路１２１は適宜選択可能である。下方走査回路１２０を選択した場合には正常な画像が表示され、上方走査回路１２１を選択した場合には上下反転した画像が表示される。同様に、データ線１０６には一対の右方走査回路１２２及び左方走査回路１２３が接続されている。右方走査回路１２２を選択した場合には正常な画像表示が行なわれ、左方走査回路１２３を選択した場合には左右反転した画像が表示される。なお、図示では４個の走査回路はＬＣＤ１００の外部に配置されているが、実際にはＬＣＤ１００の内部に集積形成する事も可能である。
　【０００６】
　【発明が解決しようとする課題】
　図７に示した画像信号処理を利用する反転方式では、Ａ／Ｄ反転処理回路等の規模が大きくなる為、消費電力の増大を招くとともに、小型化が阻害され且つコスト面で不利になるという課題がある。又、図８に示した反転回路構造では、４個の走査回路が必要となりＬＣＤ内部に形成した場合、デバイス面積の増大化を招くとともに歩留りが低下するという課題がある。そこで、本発明は構造的に簡便で且つ安価なアクティブマトリクス液晶表示装置の反転方式を提供する事を目的とする。又、画像反転駆動に好適な双方向シフトレジスタを提供する事を目的とする。さらに、アクティブマトリクス液晶表示装置に限らず走査方向の反転が可能な二次元アドレス装置を提供する事を目的とする。加えて、双方向シフトレジスタに限らずより上位概念の双方向信号伝送回路網を提供する事を目的とする。
　【０００７】
　【課題を解決するための手段】
　上述した従来の技術の課題を解決し本発明の目的を達成する為以下の手段を講じた。即ち、本発明にかかる双方向信号転送シフトレジスタは、一対の入力端子及び出力端子を各々備えた複数のフリップフロップから構成され、入出力端子間を順次接続した多段構造を有する。互いに隣り合う前後フリップフロップの前段側出力端子と後段側入力端子間の接続路に介在する順路ゲート素子及び後段側出力端子と前段側入力端子間の接続路に介在する逆路ゲート素子とを含んでいる。
多段に接続した複数のフリップフロップのうち先頭のフリップフロップの入力端子には、最初の順路ゲート素子が接続されており、多段に接続した複数のフリップフロップのうち最後のフリップフロップの入力端子には、最終の逆路ゲート素子が接続されており、外部から入力されたスタート信号を該最初の順路ゲート素子と同時に該最終の逆路ゲート素子にも送るため、該最初の順路ゲート素子と該最終の逆路ゲート素子との間にバイパス路が接続されている。
を開く一方該
閉じる事により、該入力された
該最終の逆路ゲート素子で遮断する一方該
、該順路ゲート素子を閉じる一方該逆路ゲート素子を開く事により、該入力された
該最初の順路ゲート素子で遮断する一方該
該
と
　【０００８】
　かかる構成を有する双方向信号転送シフトレジスタは、例えばアクティブマトリクス液晶表示装置に適用可能である。即ち、本発明にかかるアクティブマトリクス液晶表示装置は、所定の間隙を介して対面配置された一対の基板と該間隙内に保持された液晶層とからなるフラットパネル構造を有する。一方の基板には行方向に沿って配列したゲート線と、列方向に沿って配列したデータ線と、該ゲート線及びデータ線の交点に位置する能動素子と、個々の能動素子により駆動される画素電極と、該ゲート線にゲート信号を線順次供給する垂直駆動回路と、該データ線にデータ信号を線順次供給する水平駆動回路とが形成されている。他方の基板には対向電極が形成されており、個々の画素電極との間の電位差に応じて所望の画像を表示する。かかる構成において、前記垂直駆動回路及び水平駆動回路の少なくとも一方は信号の線順次供給順序を順逆双方向に切り換え制御可能な双方向信号転送シフトレジスタを含んでおり、選択的に画像の反転表示を行なう。
前記双方向信号転送シフトレジスタは一対の入力端子及び出力端子を各々有する複数のフリップフロップから構成され、入出力端子間を順次接続した多段構造を有し、互いに隣り合う前後フリップフロップの前段側出力端子と後段側入力端子間の接続路に介在する順路ゲート素子及び後段側出力端子と前段側入力端子間の接続路に介在する逆路ゲート素子とを含んでいる。多段に接続した複数のフリップフロップのうち先頭のフリップフロップの入力端子には、最初の順路ゲート素子が接続されており、多段に接続した複数のフリップフロップのうち最後のフリップフロップの入力端子には、最終の逆路ゲート素子が接続されており、外部から入力されたスタート信号を該最初の順路ゲート素子と同時に該最終の逆路ゲート素子にも送るため、該最初の順路ゲート素子と該最終の逆路ゲート素子との間にバイパス路が接続されている。該順路ゲート素子を開く一方該逆路ゲート素子を閉じる事により、該入力されたスタート信号を該最終の逆路ゲート素子で遮断する一方該最初の順路ゲート素子を介して前段側から後段側へ送る順方向信号転送と、該順路ゲート素子を閉じる一方該逆路ゲート素子を開く事により、該入力されたスタート信号を該最初の順路ゲート素子で遮断する一方該バイパス路から該最終の逆路ゲート素子を介して後段側から前段側へ送る逆方向信号転送とを切り換え選択する。
　【０００９】
　本発明は双方向信号転送シフトレジスタに限られるものではなく、広く双方向信号伝送回路網に適用可能である。即ち、本発明にかかる双方向信号伝送回路網は比較的高インピーダンスの入力端子及び比較的低インピーダンスの出力端子を各々備え各々がフリップフロップからなる複数の信号伝送ブロックから構成され、入出力端子間を順次接続した多段構造を有する。互いに隣り合う前後信号伝送ブロックの前段側出力端子と後段側入力端子間の接続路に介在する順路ゲート素子及び後段側出力端子と前段側入力端子間の接続路に介在する逆路ゲート素子とを含んでいる。
多段に接続した複数のフリップフロップのうち先頭のフリップフロップの入力端子には、最初の順路ゲート素子が接続されており、多段に接続した複数のフリップフロップのうち最後のフリップフロップの入力端子には、最終の逆路ゲート素子が接続されており、外部から入力されたスタート信号を該最初の順路ゲート素子と同時に該最終の逆路ゲート素子にも送るため、該最初の順路ゲート素子と該最終の逆路ゲート素子との間にバイパス路が接続されている。
を開く一方該
閉じ
、該入力された
該最終の逆路ゲート素子で遮断する一方該
、該順路ゲート素子を閉じる一方該逆路ゲート素子を開く事により、該入力された
該最初の順路ゲート素子で遮断する一方該
該
と
　【００１０】
　かかる構成を有する双方向信号伝送回路網は例えば二次元アドレス装置の駆動回路に適用可能である。即ち、本発明にかかる二次元アドレス装置は行走査線群と、列走査線群と、両走査線群の個々の交点に対応して配置された能動素子群と、少なくとも一方の走査線群に接続され順次駆動信号を供給する駆動回路とを含んでいる。該駆動回路は駆動信号の供給順序を順逆双方向に切り換え可能な双方向信号伝送回路網を含んでいる。この回路網は、一対の入力端子及び出力端子を夫々備え各々がフリップフロップからなる複数の信号伝送ブロックから構成され、入出力端子間を順次接続した多段構造を有する。互いに隣り合う前後信号伝送ブロックの前段側出力端子と後段側入力端子間の接続路に介在する順路ゲート素子及び後段側出力端子と前段側入力端子間の接続路に介在する逆路ゲート素子とを含んでいる。
多段に接続した複数のフリップフロップのうち先頭のフリップフロップの入力端子には、最初の順路ゲート素子が接続されており、多段に接続した複数のフリップフロップのうち最後のフリップフロップの入力端子には、最終の逆路ゲート素子が接続されており、外部から入力されたスタート信号を該最初の順路ゲート素子と同時に該最終の逆路ゲート素子にも送るため、該最初の順路ゲート素子と該最終の逆路ゲート素子との間にバイパス路が接続されている。
を開く一方該
閉じる事により、該入力された
該最終の逆路ゲート素子で遮断する一方該
該順路ゲート素子を閉じる一方該逆路ゲート素子を開く事により、該入力された
該最初の順路ゲート素子で遮断する一方該
該
と
　【００１１】
　【作用】
　本発明によれば、互いに隣り合う前後信号伝送ブロックの前段側出力端子と後段側入力端子間の接続路に順路ゲート素子を介在させ、後段側出力端子と前段側入力端子間の接続路に逆路ゲート素子を介在させるという簡単な構造により、双方向信号伝送回路網を実現している。順路ゲート素子及び逆路ゲート素子を択一的に開閉制御する事により、順方向信号伝送処理と逆方向信号伝送処理を切り換え選択可能である。例えば、信号伝送ブロックとしてフリップフロップを多段接続する事により、容易に双方向信号転送シフトレジスタを得る事が可能である。双方向信号転送シフトレジスタをアクティブマトリクス液晶表示装置の駆動回路に組み込む事により、選択的な画像の反転表示が簡便に実現できる。又、双方向信号伝送回路網を二次元アドレス装置の駆動回路に組み込む事により、容易に双方向二次元アドレッシングが可能になる。
　【００１２】
　【実施例】
　以下図面を参照して本発明の好適な実施例を詳細に説明する。図１は本発明にかかる双方向信号転送シフトレジスタの基本的な構成を示すブロック図である。図示する様に、本シフトレジスタは、一対の入力端子ＩＮ及び出力端子ＯＴを各々備えた複数のフリップフロップＦＦから構成されており、入出力端子間を順次接続した多段構造を有する。なお、本例では理解を容易にする為フリップフロップＦＦは第１段から第３段まで３個の多段接続となっている。実際の応用を図る場合にはこの段数に特に制限はない。互いに隣り合う前後フリップフロップの前段側出力端子と後段側入力端子間の接続路には順路ゲート素子Ｒが介在しており、後段側出力端子と前段側入力端子間の接続路には逆路ゲート素子Ｌが介在している。例えば、図示の多段接続において、前段側を第１ＦＦとし後段側を第２ＦＦとすると、第１ＦＦの出力端子ＯＴと第２ＦＦの入力端子ＩＮの接続路には順路ゲート素子Ｒが介在している。又第２ＦＦの出力端子ＯＴと第１ＦＦの入力端子ＩＮ間の接続路には逆路ゲート素子Ｌが介在している。これら順路ゲート素子Ｒ及び逆路ゲート素子Ｌを択一的に開閉制御する事により、前段側から後段側への順方向信号転送（図では左側から右側への信号転送）と後段側から前段側への逆方向信号転送（図では右側から左側への信号転送）を切り換え選択可能とする。
　【００１３】
　図２を参照して、図１に示した双方向信号転送シフトレジスタの動作を詳細に説明する。（Ａ）は順方向信号転送を表わしており、各順路ゲート素子Ｒが開いている一方、各逆路ゲート素子Ｌは閉鎖されている。この為、矢印で示す様にスタート信号ＳＴは最初の順路ゲート素子Ｒを通過した後第１ＦＦの入力端子ＩＮに供給される。第１ＦＦはスタート信号ＳＴをクロック信号に同期して処理しその出力端子ＯＴに供給する。出力信号は次の順路ゲート素子Ｒを介して第２ＦＦの入力端子に供給される。同様にこの第２ＦＦは転送された信号の内部処理を行なった後出力端子ＯＴに供給する。出力信号は次の順路ゲート素子Ｒを介して第３ＦＦの入力端子ＩＮに転送される。最後に第３ＦＦの出力信号は最終の順路ゲート素子Ｒに到る。
　【００１４】
　（Ｂ）は逆方向信号転送を表わしており、逆路ゲート素子Ｌが開いている一方、順路ゲート素子Ｒは閉じている。スタート信号ＳＴは最初の順路ゲート素子Ｒが閉じている為第１ＦＦの入力端子ＩＮに供給できない。その代わり、バイパス路を介して最終の逆路ゲート素子Ｌを通過し、第３ＦＦの入力端子ＩＮに供給される。内部処理を施された転送信号は出力端子ＯＴから次の逆路ゲート素子Ｌを介して第２ＦＦの入力端子ＩＮに供給される。再び内部処理を受けた後転送信号は出力端子ＯＴから次の逆路ゲート素子Ｌを介して第１ＦＦの入力端子ＩＮに供給される。ここで内部処理を受けた転送信号は出力端子ＯＴから先頭の逆路ゲート素子Ｌに到る。
　【００１５】
　図３は、図１に示した双方向信号転送シフトレジスタの具体的な回路構成例を示す回路図である。図示を簡略化する為第１ＦＦ及び第２ＦＦとそれに付随する順路ゲート素子Ｒ及び逆路ゲート素子Ｌのみを示している。本例では、全ての回路素子は薄膜トランジスタ（ＴＦＴ）から構成されている。しかしながら本発明はこれに限られるものではなく、回路素子はバイポーラトランジスタあるいはＭＯＳトランジスタであっても良い。第１ＦＦ、第２ＦＦともにＤ型フリップフロップから構成されておりクロック制御型の信号伝送ブロックである。Ｄ型フリップフロップは第１及び第２のクロックトインバータと第３のインバータからなり、互いに逆相のクロック信号ＣＫ１，ＣＫ２に応じて動作し、入力端子ＩＮから入力された信号をクロック信号の半周期分だけ遅延して出力端子ＯＴに出力する。順路ゲート素子ＲはＣＭＯＳタイプのトランスミッションゲート素子からなり、逆路ゲート素子Ｌも同じくトランスミッションゲート素子である。なお本発明はこれに限られるものではなく、ゲート素子としてＮＭＯＳあるいはＰＭＯＳのみのアナログスイッチを利用しても良い。これらの順路ゲート素子Ｒ及び逆路ゲート素子Ｌは制御手段から供給される互いに逆相の制御信号ＣＴＲ，ＣＴＬにより制御されている。一方の制御信号ＣＴＲがハイレベルで他方の制御信号ＣＴＬがローレベルの時、順路ゲート素子Ｒが開かれ、逆路ゲート素子Ｌが閉じられる。従って、この時にはスタート信号ＳＴは最初の順路ゲート素子Ｒを通過した後第１ＦＦの入力端子ＩＮに供給される。ここで、クロック信号の半周期分だけ遅延処理を施された後出力端子ＯＴから次の順路ゲート素子Ｒを介して第２ＦＦの入力端子ＩＮに転送される。この様にして、スタート信号ＳＴは順次順方向に向かって転送されていく。一方、制御信号ＣＴＲがローレベルで制御信号ＣＴＬがハイレベルに切り換わった時、順路ゲート素子Ｒが閉じ逆路ゲート素子Ｌが開く。この場合には逆方向から転送されてきた信号が第２ＦＦの入力端子ＩＮに供給され所定の遅延処理を施された後、出力端子ＯＴから逆路ゲート素子Ｌを介して第１ＦＦの入力端子ＩＮに転送される。再び所定の遅延処理を施された後出力端子ＯＴから出力された転送信号は次の逆路ゲート素子Ｌに到る。
　【００１６】
　上述した実施例ではフリップフロップからなる信号伝送ブロックを多段接続したシフトレジスタを説明したが、本発明はこれに限られるものではなく、一般的な双方向信号伝送回路網に適用可能である。一般化された双方向信号伝送回路網は、比較的高インピーダンスの入力端子及び比較的低インピーダンスの出力端子を各々備えた複数の信号伝送ブロックから構成され、入出力端子間を順次接続した多段構造を有する。互いに隣り合う前後信号伝送ブロックの前段側出力端子と後段側入力端子間の接続路には順路ゲート素子が介在する。又後段側出力端子と前段側入力端子間の接続路には逆路ゲート素子が介在する。順路ゲート素子及び逆路ゲート素子を択一的に開閉制御する事により、順方向信号伝送処理と逆方向信号伝送処理を切り換え選択可能とする。図４に、かかる双方向信号伝送回路網の他の例としてインバータを多段接続した双方向信号遅延回路網を示す。図示する様に、順方向入力信号ＩＮＲは順路ゲート素子Ｒ及びインバータＩＮＶを介して多段的に遅延処理され順方向出力信号ＯＴＲが得られる。一方逆方向入力信号ＩＮＬは逆路ゲート素子Ｌ及びインバータＩＮＶを介して同様に多段遅延処理を施され逆方向出力信号ＯＴＬが得られる。
　【００１７】
　最後に図５を参照して、本発明にかかるアクティブマトリクス液晶表示装置の実施例を詳細に説明する。アクティブマトリクス液晶表示装置は所定の間隙を介して対面配置された一対の基板と該間隙内に保持された液晶層とからなるフラットパネル構造を有する。一方の基板には行方向に沿って配列したｎ本のゲート線Ｘ１，Ｘ２，…，Ｘｎと、列方向に沿って配列したｍ本のデータ線Ｙ１，Ｙ２，…，Ｙｍと、該ゲート線及びデータ線の交点に位置する能動素子（ＴＦＴ）Ｔ１１，Ｔ１２，Ｔ２１，Ｔ２２，…と、個々の能動素子により駆動される画素電極と、該ゲート線Ｘ１，Ｘ２，…，Ｘｎにゲート信号を線順次供給する垂直駆動回路１０と、該データ線Ｙ１，Ｙ２，…，Ｙｍにスイッチング素子Ｓ１，Ｓ２，…，Ｓｍを介してデータ信号ＳＩＧを線順次供給する水平駆動回路２０とが形成されている。他方の基板には対向電極ＣＯＭが形成されており個々の画素電極との間に液晶画素Ｌ１１，Ｌ１２，Ｌ２１，Ｌ２２，…を構成し、電位差に応じて所望の画像を表示する。かかる構成において、垂直駆動回路１０及び水平駆動回路２０の少なくとも一方は信号の線順次供給順序を順逆双方向に切り換え制御可能な双方向シフトレジスタを含んでおり、選択的に画像の反転表示を行なう。垂直駆動回路１０が双方向シフトレジスタを含んでいる場合には、選択的に画像の上下反転表示を可能とする。即ち、垂直駆動回路１０によりゲート信号を順次ゲート線Ｘ１からゲート線Ｘｎに向かって供給した場合には正転表示が得られ、逆にゲート線ＸｎからＸ１に向かってゲート信号を順次供給した場合には上下逆転表示が得られる。同様に、水平駆動回路２０が双方向シフトレジスタを含んでいる場合には、選択的に画像の左右反転表示が可能になる。即ち、水平駆動回路２０によりスイッチング素子をＳ１からＳｍの方向に走査した場合には、正転表示が得られる。逆に、スイッチング素子をＳｍからＳ１に向かって走査した場合には、左右逆転表示が得られる事になる。
　【００１８】
　【発明の効果】
　以上説明した様に、本発明によれば、互いに隣り合う前後フリップフロップの前段側出力端子と後段側入力端子間の接続路に順路ゲート素子を介在させ、後段側出力端子と前段側入力端子間の接続路に逆路ゲート素子を介在させる事により、順方向信号転送と逆方向信号転送を切り換え選択可能とし、簡単な構造で双方向信号転送シフトレジスタが実現できるという効果が得られる。この双方向信号転送シフトレジスタをアクティブマトリクス液晶表示装置の駆動回路に組み込む事により、容易に反転表示が実現できるという効果がある。
【図面の簡単な説明】
　【図１】
　本発明にかかる双方向信号転送シフトレジスタの基本的な構成を示すブロック図である。
　【図２】
　本発明にかかる双方向信号転送シフトレジスタの動作説明図である。
　【図３】
　図１に示した双方向信号転送シフトレジスタの構成例を示す回路図である。
　【図４】
　本発明にかかる双方向信号伝送回路網の一例を示すブロック図である。
　【図５】
　本発明にかかる双方向信号転送シフトレジスタを組み込んだアクティブマトリクス液晶表示装置の一例を示す模式図である。
　【図６】
　アクティブマトリクス液晶表示装置の一般的な構成を示す模式的な斜視図である。
　【図７】
　従来の画像反転方式の一例を示すブロック図である。
　【図８】
　従来の画像反転方式の他の例を示す模式図である。
　【符号の説明】
　ＦＦ　フリップフロップ
　ＩＮ　入力端子
　ＯＴ　出力端子
　Ｒ　　順路ゲート素子
　Ｌ　　逆路ゲート素子
　ＳＴ　スタート信号